(57)【特許請求の範囲】
【請求項１】
与えられる動作クロック・パルス（ＣＬＫ１）にもとづいて動作し，シャッタ・レリーズ・ボタンの押下に応じて被写体を撮像することにより被写体像を表す画像データを出力する撮像手段，
与えられる動作クロック・パルス（ＣＬＫ３）にもとづいて動作し，上記撮像手段から出力された画像データを記録用に所定の信号処理する信号処理回路，
与えられる動作クロック・パルス（ＣＬＫ４）にもとづいて動作し，上記信号処理回路により信号処理された画像データを記録媒体に記録する記録制御手段，
高解像度記録モードまたは低解像度記録モードのいずれかの設定を受付ける記録モード設定手段，ならびに
上記記録モード設定手段により低解像度記録モードが設定されている場合に，上記シャッタ・レリーズ・ボタンの押下に応じて，上記信号処理回路に与えられる動作クロック・パルス（ＣＬＫ３）および上記記録制御手段に与えられる動作クロック・パルス（ＣＬＫ４）として低速動作クロック・パルスを発生し，上記記録モード指令手段により高解像度記録モードが設定されている場合に，上記シャッタ・レリーズ・ボタンの押下に応じて，上記信号処理回路に与えられる動作クロック・パルス（ＣＬＫ３）および上記記録制御手段に与えられる動作クロック・パルス（ＣＬＫ４）として高速動作クロック・パルスを発生する第１のクロック・パルス発生手段，
を備えたディジタル・スチル・カメラ。
【請求項２】
上記信号処理回路による信号処理中および上記記録制御手段による記録処理中の少なくとも一方にシャッタ・レリーズ・ボタンの押下があったかどうかを判定する判定手段，および
上記判定手段により上記信号処理回路による信号処理中および上記記録制御手段による記録処理中の少なくとも一方にシャッタ・レリーズ・ボタンの押下があったと判定されたことに応じて上記記録制御手段に与えられる動作クロック・パルス（ＣＬＫ４）として高速動作クロック・パルスを与えるように上記第１のクロック・パルス発生手段を制御する手段，
をさらに備えた請求項１に記載のディジタル・スチル・カメラ。
【請求項３】
テレまたはワイド撮影指令を与えるズーム指令手段，
上記ズーム指令手段に与えられたズーム指令に応じたズーム量とするズーム・レンズ，
与えられる動作クロック・パルス（ＣＬＫ２）にもとづいて動作し，合焦するように上記ズーム・レンズの調整量を算出するＡＦ回路，および
上記ズーム指令手段によりワイド撮影指令が設定されている場合に，上記シャッタ・レリーズ・ボタンの押下に応じて，上記ＡＦ回路に与えられる動作クロック・パルスＣＬＫ２として低速動作クロック・パルスを発生し，上記指令手段によりテレ撮影指令が設定されている場合に，上記シャッタ・レリーズ・ボタンの押下に応じて，上記ＡＦ回路に与えられる動作クロック・パルスＣＬＫ２として高速動作クロック・パルスを発生する第２のクロック・パルス発生手段，
をさらに備えた請求項１に記載のディジタル・スチル・カメラ。
【請求項４】
セルフ・タイマ撮影を設定するセルフ・タイマ設定スイッチ，および
上記セルフ・タイマ設定スイッチによりセルフ・タイマ撮影が設定されたことにより，時間の計測を開始し，一定時間経過したことにより上記記録制御手段に画像データの記録指令を与えるセルフ・タイマ手段をさらに備え，
上記第１のクロック・パルス発生手段は，上記セルフ・タイマ設定スイッチによりセルフ・タイマ撮影が設定されている場合に，上記シャッタ・レリーズ・ボタンの押下に応じて，上記記録制御手段に与えられる動作クロック・パルス（ＣＬＫ４）として低速動作クロック・パルスを発生するものである，
請求項１に記載のディジタル・スチル・カメラ。
【請求項５】
上記記録媒体に記録されている画像データを読み取る読み取り手段，
与えられる動作クロック・パルス（ＣＬＫ３，４）にもとづいて動作し，上記読み取り手段によって読み取られた画像データを再生する再生回路，
上記再生回路により再生された画像データによって表される画像を表示するように表示装置を制御する第１の表示制御手段，
再生すべき駒の指令が与えられたことにより指令が与えられた駒の画像を表す画像データを読み取り上記再生回路に与え，上記表示装置に表示されるように上記読み取り手段および上記再生回路を制御する制御手段，ならびに
上記再生すべき駒の指令が与えられたときから指令が与えられた駒の画像が表示されるまでの切替時間の間，切替時間外の時間に上記再生回路に与えられる動作クロック・パルスよりも高速の動作クロック・パルスを，上記動作クロック・パルス（ＣＬＫ３，４）として上記再生回路に与える第３のクロック・パルス発生手段，
をさらに備えた請求項１に記載のディジタル・スチル・カメラ。
【請求項６】
上記信号処理回路により信号処理された画像データによって表される画像を表示するように表示装置を制御する第２の表示制御手段，
セットアップ・モードの設定手段，
上記セットアップ・モード設定手段によるセットアップ・モードの設定に応じてディジタル・スチル・カメラの機能を設定するためのセットアップ画像を上記第２の表示制御手段の制御のもと上記表示装置に表示されている画像上に重ねて表示するように上記表示装置を制御する第３の表示制御手段，および
上記セットアップ・モードが設定されることによって上記セットアップ画像が表示されている間，セットアップ画像が表示されていないときに信号処理回路に与えられる動作クロック・パルスよりも低速の動作クロック・パルスを，上記動作クロック・パルス（ＣＬＫ３）として上記信号処理回路に与える第４のクロック・パルス発生手段，
をさらに備えた請求項１に記載のディジタル・スチル・カメラ。
【請求項７】
上記信号処理回路に上記動作クロック・パルス（ＣＬＫ３）として低速動作クロック・パルスが与えられるときは，高速動作クロック・パルスが与えられるときに比べて低い動作電圧を上記信号処理回路に供給する電源回路，
をさらに備えた請求項１に記載のディジタル・スチル・カメラ。
【請求項８】
与えられる動作クロック・パルス（ＣＬＫ１）にもとづいて動作する撮像手段を用いてシャッタ・レリーズ・ボタンの押下に応じて被写体を撮像することにより被写体像を表す画像データを得，与えられる動作クロック・パルス（ＣＬＫ３）に基づいて，得られた画像データを記録用に信号処理し，与えられる動作クロック・パルス（ＣＬＫ４）にもとづいて動作する記録制御手段を用いて，信号処理回路により信号処理された画像データを，記録媒体に記録するディジタル・スチル・カメラにおいて，
高解像度記録モードまたは低解像度記録モードのいずれかの設定を受付け，
低解像度記録モードが設定されている場合に，上記シャッタ・レリーズ・ボタンの押下に応じて，上記信号処理回路に与えられる動作クロック・パルス（ＣＬＫ３）および上記記録制御手段に与えられる動作クロック・パルス（ＣＬＫ４）として低速動作クロック・パルスを与え，
高解像度記録モードが設定されている場合に，上記シャッタ・レリーズ・ボタンの押下に応じて，上記信号処理回路に与えられる動作クロック・パルス（ＣＬＫ３）および上記記録制御手段に与えられる動作クロック・パルス（ＣＬＫ４）として高速動作クロック・パルスを与える，
ディジタル・スチル・カメラの制御方法。
【発明の詳細な説明】
【０００１】
【技術分野】
この発明は，ディジタル・スチル・カメラ（携帯型電子機器にカメラの機能を持たせたものを含む）およびその制御方法に関する。
【０００２】
【発明の背景】
ディジタル・スチル・カメラは，携帯性を考慮して電池を用いて動作する。記録枚数を多くすると，大容量の電池が必要であるために電池が大型化してしまう。電池が大きくなると，ディジタル・スチル・カメラ自体の大きさを小さくすることが難しくなる。
【０００３】
小さな電池を使用しつつ，記録枚数を多くするためにはディジタル・スチル・カメラの消費電力を抑える必要がある。
【０００４】
【発明の開示】
この発明は，ディジタル・スチル・カメラの消費電力を抑えることができるようにすることを目的とする。
【０００５】
この発明によるディジタル・スチル・カメラは，与えられる動作クロック・パルスにもとづいて動作し，被写体を撮像することにより被写体像を表す画像データを出力する撮像手段，与えられる動作クロック・パルスにもとづいて動作し，上記撮像手段から出力された画像データを記録用に所定の信号処理する信号処理回路，与えられる動作クロック・パルスにもとづいて動作し，上記信号処理回路により信号処理された画像データを記録媒体に記録する記録制御手段，および上記撮像手段に第１の動作クロック・パルスを与え，上記記録制御手段に上記第１の動作クロック・パルスよりも低速の第２のクロック・パルスを与える第１のクロック・パルス発生手段を備えていることを特徴とする。
【０００６】
この発明は，上記ディジタル・スチル・カメラに適した制御方法も提供している。すなわち，この方法は，与えられる動作クロック・パルスにもとづいて動作する撮像手段を用いて被写体を撮像することにより被写体像を表す画像データを得，得られた画像データを記録用に信号処理し，与えられる動作クロック・パルスにもとづいて動作する記録制御手段を用いて，信号処理回路により信号処理された画像データを，記録媒体に記録するディジタル・スチル・カメラにおいて，上記撮像手段に第１の動作クロック・パルスを与え，上記記録制御手段に，上記第１の動作クロック・パルスを与え，上記記録制御手段に，上記第１の動作クロック・パルスよりも低速の第２のクロック・パルスを与えるものである。
【０００７】
この発明によると，上記撮像手段に高速の第１のクロック・パルスが与えられ，上記記録制御手段には，上記第１のクロック・パルスよりも低速の第２のクロック・パルスが与えられる。上記記録制御手段には，低速のクロック・パルスが与えられるので，高速のクロック・パルスが与えられるときに比べ消費電力を抑えることができる。
【０００８】
上記撮像手段がシャッタ・レリーズ・ボタンの押下に応じて被写体を撮像するものの場合には，上記信号処理回路による信号処理中および上記記録制御手段による記録処理中の少なくとも一方にシャッタ・レリーズ・ボタンの押下があったかどうかを判定する判定手段，および上記判定手段により上記信号処理回路による信号処理中および上記記録制御手段による記録処理中の少なくとも一方にシャッタ・レリーズ・ボタンの押下があったと判定されたことに応じて上記記録制御手段に上記第１のクロック・パルスを与えるように上記クロック・パルス発生手段を制御する手段をさらに備えることが好ましい。
【０００９】
連写などシャッタ・レリーズ・ボタンが連続して押されると，被写体が連続して撮像され，被写体像を表す画像データも迅速に記録媒体に記録する必要がある。信号処理回路による信号処理中および記録制御手段による記録媒体への画像データの記録中の少なくとも一方にシャッタ・レリーズ・ボタンの押下があると，次の駒の記録指令があったものと考えられ，記録媒体に画像データを迅速に記録させるために高速の第１のクロック・パルスが上記記録制御手段に与えられる。
【００１０】
高解像度記録指令または低解像度記録指令を与える記録モード指令手段，および上記記録モード指令手段により低解像度記録指令が与えられたことにより上記撮像手段に上記第１の動作クロック・パルスを与え，上記記録制御手段に，上記第２の動作クロック・パルスを与え，上記記録モード指令手段により高解像度記録指令が与えられたことにより，上記記録制御手段にも上記第１のクロック・パルスを与えるように上記クロック・パルス発生手段を制御する手段をさらに備えてもよい。
【００１１】
高解像度記録指令が与えられるときには，高解像度の画像を表すデータ量の多い画像データが記録媒体に記録されるから，記録に要する時間が比較的長くなる。これに対して，低解像度記録指令が与えられるときには，低解像度の画像を表す比較的データ量の少ない画像データが記録媒体に記録されるから，記録に要する時間は比較的短くなる。高解像度の画像データが記録媒体に記録されるときには，上記記録制御手段には，高速のクロック・パルスが与えられるから，データ量が多くても比較的迅速に記録できるようになる。
【００１２】
テレまたはワイド撮影指令を与えるズーム指令手段，上記ズーム指令手段に与えられたズーム指令に応じたズーム量とするズーム・レンズ，与えられる動作クロック・パルスにもとづいて動作し，合焦するように上記ズーム・レンズの調整量を算出するＡＦ回路，および上記ズーム指令手段によりワイド撮影指令が与えられたことにより上記ＡＦ回路に低速動作クロック・パルスを与え，上記指令手段によりテレ撮影指令が与えられたことにより，上記ＡＦ回路に高速クロック・パルスを与える第２のクロック・パルス発生手段をさらに備えることが好ましい。
【００１３】
セルフ・タイマ撮影を設定するセルフ・タイマ設定スイッチ，および上記セルフ・タイマ設定スイッチによりセルフ・タイマ撮影が設定されたことにより，時間の計測を開始し，一定時間経過したことにより上記記録制御手段に画像データの記録指令を与えるセルフ・タイマ手段をさらに備えてもよい。このときには，上記記録制御手段は，上記セルフ・タイマ設定スイッチによりセルフ・タイマ撮影が設定されたことに応じて，上記撮像手段に第１の動作クロック・パルスを与え，上記記録制御手段に上記第２の動作クロック・パルスを与えるものとなろう。
【００１４】
セルフ・タイマ撮影をするときには，シャッタ・レリーズされるときにはユーザは，カメラから離れており，シャッタ・レリーズ後にカメラに戻る。ユーザがカメラに戻るまでには時間があるので，記録制御手段に低速のクロック・パルスを与えてもユーザがカメラに戻るまでに記録を終了できる。低速クロック・パルスを与えることにより，消費電力を抑えることができる。
【００１５】
上記記録媒体に記録されている画像データを読み取る読み取り手段，与えられる動作クロック・パルスにもとづいて動作し，上記読み取り手段によって読み取られた画像データを再生する再生回路，上記再生回路により再生された画像データによって表される画像を表示するように表示装置を制御する第１の表示制御手段，再生すべき駒の指令が与えられたことにより指令が与えられた駒の画像を表す画像データを読み取り，上記再生回路に与え，上記表示装置に表示されるように上記読み取り手段および上記再生回路を制御する制御手段，ならびに上記再生すべき駒の指令が与えられたときから指令が与えられた駒の画像が表示されるまでの切替時間の間，切替時間外の時間に上記再生回路に与えられる動作クロック・パルスよりも高速の動作クロック・パルスを上記再生回路に与える第３の動作クロック・パルス発生手段をさらに備えてもよい。
【００１６】
駒を表示するまでの間は，高速クロック・パルスが上記再生回路に与えられるので，次の駒を迅速に再生して表示できる。画像の再生中は，低速クロック・パルスが上記再生回路に与えられるので，消費電力の削減となる。
【００１７】
上記信号処理回路により信号処理された画像データによって表される画像を表示するように表示装置を制御する第２の表示制御手段，セットアップ・モードの設定手段，上記セットアップ・モード設定手段によるセットアップ・モードの設定に応じてディジタル・スチル・カメラの機能を設定するためのメニュー画像を上記台１の表示制御手段の制御のもと上記表示装置に表示されている画像上に重ねて表示するように上記表示装置を制御する第３の表示制御手段，および上記メニュー画像の表示中の間，メニュー画像が表示されていないときに信号処理回路に与えられる動作クロック・パルスよりも高速の動作クロック・パルスを上記信号処理回路に与える第４のクロック・パルス発生手段をさらに備えるようにしてもよい。
【００１８】
セットアップ・メニューを画像上に重ねて表示してディジタル・スチル・カメラの機能を設定（セットアップ）するときには，セットアップ・メニュー画像の背景の画像を鑑賞しないことが多い。したがって，セットアップ・メニュー画像の背景の画像の表示が遅くてもユーザに不快感を与えることもない。セットアップ・メニュー画像を表示するときには再生回路へのクロック・パルスを低速のものにするので，カメラの消費電力を抑えることができる。
【００１９】
上記第１のクロック・パルス発生手段が，上記信号処理回路にも上記第２の動作クロック・パルスを与えるものの場合には，上記信号処理回路に上記第２の動作クロック・パルスが与えられるときは，上記第１の動作クロック・パルスが与えられるときに比べて低い動作電圧を上記信号処理回路に供給する電源回路をさらに備えることが好ましい。
【００２０】
低速のクロック・パルスにより動作するときには，動作電圧が低下しても信号処理回路がシャット・ダウンするおそれが少ない。動作電圧を低下させることにより，消費電力を削減できる。
【００２１】
【実施例の説明】
図１は，この発明の実施例を示すもので，ディジタル・スチル・カメラの電気的構成を示すブロック図である。
【００２２】
ディジタル・スチル・カメラの全体の動作は，ＣＰＵ１によって統括される。
【００２３】
ディジタル・スチル・カメラは，撮影モード，再生モード，セットアップ・モードなどの各種モードの設定が可能である。撮影モードを設定する撮影モード・スイッチ２，再生モードを設定する再生モード・スイッチ３およびセットアップ・モードを設定するセットアップ・モード・スイッチ４からの設定信号は，ＣＰＵ１に入力する。
【００２４】
ディジタル・スチル・カメラは，ズーム撮影が可能であり，テレ撮影またはワイド撮影を設定するためのテレ／ワイド設定スイッチ５が含まれている。テレ／ワイド設定スイッチ５からの設定信号は，ＣＰＵ１に入力する。
【００２５】
シャッタ・レリーズ・ボタン６は，二段ストローク・タイプのもので第１段階の押下により第１のシャッタ信号Ｓ１が出力され，第２段階の押下により第２のシャッタ信号Ｓ２が出力される。シャッタ・レリーズ・ボタン６から出力されるシャッタ信号Ｓ１およびＳ２は，ＣＰＵ１に入力する。
【００２６】
さらに，ディジタル・スチル・カメラには，高解像度記録または低解像度記録を設定する記録モード設定スイッチ７，セルフ・タイマ記録を行うときに設定されるセルフ・タイマ・スイッチ８および再生する画像の駒の駒送りスイッチ９が含まれている。これらのスイッチ７，８および９からの出力信号もＣＰＵ１に入力する。
【００２７】
ＣＰＵ１には，セットアップ画像を表示するためのデータその他のデータを記憶するメモリ10およびセルフ・タイマ記録時に時間を計測するタイマ11が接続されている。
【００２８】
また，電源回路26がディジタル・スチル・カメラに含まれており，ディジタル・スチル・カメラを構成する各回路に電源が供給される。
【００２９】
ズーム・レンズ12のズーム量は，ズーム・モータ21によって制御される。撮影モード・スイッチ１により撮影モードが設定されていると，ズーム・レンズ12により被写体像が撮像素子（ＣＣＤ）13の受光面上に結像する。撮像素子13は，ＣＣＤタイミング発生回路22から出力される各種パルスにしたがって動作する。撮像素子13によって一定周期（たとえば，１／60秒ごと）被写体像を表す映像信号が撮像素子13から出力され，前置増幅回路14に入力される。
【００３０】
前置増幅回路14において増幅された映像信号は，アナログ／ディジタル変換回路15においてディジタル画像データに変換される。ディジタル画像データは，ＡＥ（auto exposure）／ＡＦ（auto focus）回路16を通過して信号処理回路17に入力する。信号処理回路17においてガンマ補正，色バランス補正などの所定の信号処理が実行される。信号処理回路17から出力された画像データは，ＬＣＤ（liquid crystal device）ドライバ23を介して液晶表示装置24に与えられる。液晶表示装置24の表示画面上に被写体像が動画で表示されることとなる。
【００３１】
シャッタ・レリーズ・ボタン６の第１段階の押下があると，上述のようにして得られた画像データがＡＥ／ＡＦ回路16に入力する。ＡＥ／ＡＦ回路16において入力した画像データにもとづいてＡＥおよびＡＦ処理が実行され，ＡＥ値およびＡＦ値が得られる。ＡＥ値およびＡＦ値をそれぞれ表わすデータはＣＰＵ１に与えられ，シャッタ速度，ズーム・レンズ12のズーム量が決定される。決定されたシャッタ速度となるようにＣＣＤタイミング発生回路22により撮像素子13が制御される。また，決定されたズーム量となるようにズーム・モータ21によりズーム・レンズ12が制御される。
【００３２】
シャッタ・レリーズ・ボタン６の第２段階の押下があると，上述のようにして得られた画像データは，ＳＤＲＡＭ18に与えられ，一時的に記憶される。画像データは，ＳＤＲＡＭ18から読み出され信号処理回路17を介してメディア・コントローラ19によってメモリ・カード20に記録される。
【００３３】
再生モード・スイッチ３により再生モードが設定されるとメモリ・カード20に記録されている画像データがメディア・コントローラ19により読み取られる。読み取られた画像データは，信号処理回路17において再生処理される。再生処理された画像データは，ＬＣＤドライバ23を介して液晶表示装置24に与えられる。液晶表示装置24の表示画面上にメモリ・カード20に記録されている画像データによって表される画像が表示されることとなる。
【００３４】
駒送りスイッチ９から駒送り指令が与えられると，液晶表示装置24に表示されている画像の次の駒の画像を表す画像データがメモリ・カード20から読み出される。上述したのと同様に信号処理回路17において再生処理されＬＣＤドライバ23に与えられる。次の駒の画像が液晶表示装置24の表示画面上に表示されることとなる。
【００３５】
セットアップ・モード・スイッチ４によりセットアップ・モードが設定されると，メモリ10からセットアップ画像データが読み出され，ＬＣＤドライバ23に与えられる。液晶表示装置24にセットアップ画像（メニュー画像）が表示されることとなる。撮影モードが設定されているときにセットアップ・モードが設定されると，撮影されている被写体像上にセットアップ画像が重ねて表示されることとなる。再生モードが設定されているときにセットアップ・モードが設定されると，再生されている画像上にセットアップ画像が重ねて表示されることとなる。
【００３６】
セットアップ・モードが設定されると，ユーザは，上下左右ボタン，ＯＫボタン（いずれも図示略）を操作しながらディジタル・スチル・カメラの機能を設定（日付の設定，液晶表示装置の明るさの設定など）することとなる。
【００３７】
上述したＣＣＤタイミング発生回路22，ＡＥ／ＡＦ回路16，信号処理回路17およびメディア・コントローラ19にはクロック・コントローラ25から動作クロック・パルスＣＬＫ１，ＣＬＫ２，ＣＬＫ３およびＣＬＫ４が与えられている。詳しくは，後述するように動作クロック・パルスＣＬＫ１，ＣＬＫ２，ＣＬＫ３およびＣＬＫ４は高速または低速に設定される。動作クロック・パルスが低速に設定されることにより電力消費を抑えることができるので，ディジタル・スチル・カメラを長時間駆動することができる。
【００３８】
図２は，撮影モードが設定されたときのディジタル・スチル・カメラの処理手順を示すフローチャートである。
【００３９】
撮影モード・スイッチ２により撮影モードが設定されると，上述のように被写体が撮像され，被写体像が液晶表示装置24の表示画面上に表示される。
【００４０】
シャッタ・レリーズ・ボタン１の第１段階の押下があると（ステップ31でＹＥＳ），上述したようにシャッタ速度およびズーム量が決定される。高速のクロック・パルスＣＬＫ２がＡＥ／ＡＦ回路16に与えられ，迅速にシャッタ速度およびズーム量が決定される。決定したズーム量となるようにズーム・レンズ12が調整される。
【００４１】
シャッタ・レリーズ・ボタン６の第２段階の押下があると（ステップ33でＹＥＳ），決定したシャッタ速度となるように制御される（ステップ34，露出制御）。撮像素子13を用いて被写体が撮像され，被写体像を表す画像データがＳＤＲＡＭ18に格納される（ステップ35）。画像データは，ＳＤＲＡＭ18から読み取られ，信号処理回路17に与えられる。信号処理回路17には低速のクロック・パルスＣＬＫ３が与えられ，この低速のクロック・パルスＣＬＫ３にもとづいて信号処理回路17が動作し，所定の信号処理が実行される（ステップ36）。
【００４２】
信号処理された画像データは，メディア・コントローラ19によりメモリ・カード20に記録される（ステップ37）。メディア・コントローラ19には，低速のクロック・パルスＣＬＫ４が与えられており，比較的低速で記録が行われることとなる。
【００４３】
信号処理回路17およびメディア・コントローラ19に与えられるクロック・パルスＣＬＫ３およびＣＬＫ４は，低速のものであるから消費電力を抑えることができるようになる。
【００４４】
図３および図４は，撮影モードが設定されたときのディジタル・スチル・カメラの他の処理手順を示すフローチャートである。この図において，図２に示す処理と同一の処理は同一符号を付して説明を省略する。
【００４５】
図３および図４に示す処理は，信号処理回路17による信号処理中またはメディア・コントローラ19による信号処理中に次の駒の画像の記録のためにシャッタ・レリーズ・ボタン６の押下があった場合には信号処理回路17およびメディア・コントローラ19に与えられるクロック・パルスＣＬＫ３およびＣＬＫ４が高速のものとされる。信号処理およびメモリ・カード20への画像データの記録が迅速に終了する。
【００４６】
上述したのと同様に，シャッタ・レリーズ・ボタン６の第１段階の押下および第２段階の押下があると，被写体像を表す画像データが信号処理回路17に与えられ，信号処理が開始される（ステップ41）。信号処理中にシャッタ・レリーズ・ボタン６の第１段階の押下がなければ（ステップ42でＮＯ），信号処理回路17およびメディア・コントローラ19は低速のクロック・パルスで動作する。
【００４７】
信号処理中にシャッタ・レリーズ・ボタン６の第１段階の押下があると（ステップ42でＹＥＳ），ＡＥ／ＡＦ回路16により再びＡＥ値およびＡＦ値が算出される（ステップ43）。シャッタ・レリーズ・ボタン６の第２段階の押下があると（ステップ44でＹＥＳ），露出制御が行われ（ステップ45），撮像により得られた画像データがＳＤＲＡＭ18に格納される（ステップ46）。
【００４８】
画像データは，ＳＤＲＡＭ18から読み出され，信号処理回路17において信号処理が行われ（ステップ47），メディア・コントローラ19によるメモリ・カード20への記録が行われる（ステップ48）（２駒分の画像を表す画像データの信号処理およびメモリ・カード20への記録）。信号処理回路17およびメディア・コントローラ19には高速のクロック・パルスＣＬＫ３およびＣＬＫ４が与えられる。信号処理および画像データのメモリ・カード20への記録が迅速に終了する。
【００４９】
信号処理回路17の信号処理中またはメディア・コントローラ19によるメモリ・カード20への画像データの記録中に，シャッタ・レリーズ・ボタン６の第１段階の押下があってもその後一定時間内にシャッタ・レリーズ・ボタン６の第２段階の押下がなければ（ステップ44でＮＯ），信号処理回路17およびメディア・コントローラ19は低速のクロック・パルスＣＬＫ３およびＣＬＫ４により動作する。
【００５０】
図５は，さらに他の実施例を示すもので，撮影モードが設定されたときのディジタル・スチル・カメラの処理手順を示すフローチャートである。この図においても図２に示すものと同一の処理については同一符号を付して説明を省略する。
【００５１】
この実施例においては，低解像度モードが設定されると，信号処理回路17およびメディア・コントローラ19は低速のクロック・パルスＣＬＫ３およびＣＬＫ４により動作するが，高解像度モードが設定されると，信号処理回路17およびメディア・コントローラ19は高速のクロック・パルスＣＬＫ３およびＣＬＫ４により動作するものである。高解像度モードが設定されると，データ量の多い画像データがメモリ・カード20に記録されるが，高速のクロック・パルスＣＬＫ３およびＣＬＫ４により信号処理回路17およびメディア・コントローラ19が動作するので，画像データを迅速にメモリ・カード20に記録できる。
【００５２】
記録モード・スイッチ７により高解像度モードが設定されたか低解像度モードが設定されたかが判定される（ステップ51）。
【００５３】
高解像度モードが設定されると，シャッタ・レリーズ・ボタン６の第１段階の押下により（ステップ52でＹＥＳ），ＡＥ／ＡＦ回路16によりＡＥ値およびＡＦ値が算出され（ステップ53），シャッタ・レリーズ・ボタン６の第２段階の押下により露出制御（ステップ55）およびＳＤＲＡＭ18への画像データの格納が行われる（ステップ56）。
【００５４】
信号処理回路17およびメディア・コントローラ19には，高速クロック・パルスＣＬＫ３およびＣＬＫ４が与えられ，信号処理およびメモリ・カード20への画像データの記録が行われる（ステップ57，58）。
【００５５】
低解像度モードが設定されていると（ステップ51でＮＯ），信号処理回路17およびメディア・コントローラ19には，低速クロック・パルスＣＬＫ３およびＣＬＫ４が与えられ，信号処理およびメモリ・カード20への画像データの記録が行われる（ステップ36，37）。
【００５６】
図６は，ＡＥ／ＡＦ処理の処理手順を示すフローチャートである。
【００５７】
テレ／ワイド設定スイッチ５によりテレが設定されているかワイドが設定されているかが確認される（ステップ61）。
【００５８】
テレが設定されているときには，ＡＥ／ＡＦ回路16には高速のクロック・パルスＣＬＫ２が与えられる（ステップ62）。
【００５９】
ズーム・レンズ12がテレ側に設定されるときには，ズーム・レンズ12の駆動量は多いが，ＡＥ／ＡＦ回路16には高速のクロック・パルスＣＬＫ２が与えられるので，ＡＥ値およびＡＦ値の算出が早くなる。
【００６０】
ズーム・レンズ12がワイドに設定されるときには，ＡＥ／ＡＦ回路16には低速のクロック・パルスＣＬＫ２が与えられるが（ステップ63），ワイドはズーム・レンズ12の駆動量が少ないので，低速のクロック・パルスＣＬＫ２によりＡＥ／ＡＦ回路16を動作させても比較的早くＡＦ値を算出できる。
【００６１】
図７は，さらに，他の処理手順を示すもので撮影モードの処理手順を示している。
【００６２】
セルフ・タイマ撮影が設定されていると（ステップ71でＹＥＳ），タイマ11により計時が開始される（ステップ72）。一定時間が経過すると（ステップ73でＹＥＳ），シャッタ・レリーズ・ボタン６の第１段階の押下となる。その後，被写体が撮像され，被写体像を表す画像データの信号処理，メモリ・カードへの記録が行われる（ステップ36，37）。信号処理回路17およびメディア・コントローラ19は，低速クロック・パルスＣＬＫ３およびＣＬＫ４により動作する。
【００６３】
セルフ・タイマ撮影が行われるときにはユーザは，撮影対象の場所からディジタル・スチル・カメラのある場所まで戻るので，低速クロック・パルスにより信号処理回路17およびメディア・コントローラ19が低速で動作し，信号処理およびメモリ・カード20への記録処理に時間がかかっても問題はない。
【００６４】
セルフ・タイマ撮影が行われないときには，信号処理回路17およびメディア・コントローラ19は高速クロック・パルスＣＬＫ３およびＣＬＫ４により動作する。
【００６５】
図８は，再生モードの処理手順を示すフローチャートである。
【００６６】
再生モード・スイッチ３により再生モードが設定されると，再生モードに移行する。メモリ・カード20に記録されている画像データのうち，最後に記録された画像を表す画像データ（必ずしも最後に記録された画像データでなくともよい）がメディア・コントローラ19によりメモリ・カード20から読み取られる（ステップ82）。メディア・コントローラ19には低速クロック・パルスが与えられる。読み取られた画像データが信号処理回路17に与えられ，再生処理が実行される（ステップ83）。
【００６７】
再生処理された画像データは，ＬＣＤドライバ23を介して液晶表示装置24に与えられる。メモリ・カード20に記録されている画像データによって表される画像が液晶表示装置24の表示画面上に表示されることとなる（ステップ84）。画像の表示中にも信号処理回路17には，低速のクロック・パルスＣＬＫ３が与えられいる。
【００６８】
駒送りスイッチ９により駒送り指令がディジタル・スチル・カメラに与えられると（ステップ85でＹＥＳ），次の駒の画像を表す画像データがメディア・コントローラ19によりメモリ・カード20から読み取られる（ステップ86）。メディア・コントローラ19には高速クロック・パルスＣＬＫ４が与えられ，短時間で画像データをメモリ・カード20から読み取られることとなる。読み取られた画像データが信号処理回路17に与えられて再生処理が実行される（ステップ87）。信号処理回路17には，高速のクロック・パルスＣＬＫ３が与えられ，再生処理に要する時間が短縮される。次の駒の画像を迅速に表示できるようになる（ステップ88）。
【００６９】
図９は，セットアップ・モードの処理手順を示すフローチャートである。
【００７０】
セットアップ・モード・スイッチ４によりセットアップ・モードが設定されると，メモリ10からセットアップ画像データが読み取られ，ＬＣＤドライバ23を介して液晶表示装置24に与えられる。液晶表示装置24の表示画面上にセットアップ画像が表示される（ステップ91）。セットアップ画像の下（後ろ）には，セットアップ・モードが設定される前が再生モードであれば，再生画像が表示されており，セットアップ・モードが設定される前が撮影モードであれば，被写体像が表示されている。
【００７１】
液晶表示装置24の表示画面上にセットアップ画像が表示されているときには，信号処理回路17には，上述した低速クロック・パルスＣＬＫ３よりもさらに低速に最低速クロック・パルスＣＬＫ３が与えられる（ステップ92）。信号処理回路17には，最低速クロック・パルスＣＬＫ３が与えられるので，低速クロック・パルスＣＬＫ３が与えられるときに比べてさらに電力消費を抑えることができる。
【００７２】
セットアップ・モードにおいてディジタル・スチル・カメラの各種機能が設定される。
【００７３】
セットアップ・モード・スイッチ４が再び押されるとセットアップの終了となる（ステップ93でＹＥＳ）。すると，信号処理回路17には，低速クロック・パルスＣＬＫ３が与えられることとなる（ステップ94）。記録用の信号処理など，次の動作に備えるためである。
【００７４】
図10は，電源回路26の制御処理を示すフローチャートである。
【００７５】
信号処理回路17に低速クロック・パルスＣＬＫ３が与えられているときには（ステップ101でＹＥＳ），信号処理回路17に与える動作電圧が低下させられる（ステップ102）。低速クロック・パルスＣＬＫ３が与えられるときには信号処理回路17の消費電力が下がるので，与えられる動作電圧が低くてもシャットダウンされるおそれがない。
【００７６】
信号処理回路17に低速クロック・パルスが与えられていないときには（ステップ101でＮＯ）（高速クロック・パルスが与えられているときには），通常の動作電圧が信号処理回路17に与えられる（ステップ103）。
【図面の簡単な説明】
【図１】ディジタル・スチル・カメラの電気的構成を示すブロック図である。
【図２】撮影モードの処理手順を示すフローチャートである。
【図３】撮影モードの処理手順を示すフローチャートである。
【図４】撮影モードの処理手順を示すフローチャートである。
【図５】撮影モードの処理手順を示すフローチャートである。
【図６】ＡＥ／ＡＦ処理手順を示すフローチャートである。
【図７】撮影モードの処理手順の一部を示すフローチャートである。
【図８】再生モードの処理手順を示すフローチャートである。
【図９】セットアップ・モードの処理手順を示すフローチャートである。
【図１０】電源の処理手順を示すフローチャートである。
【符号の説明】
１  ＣＰＵ
２  撮影モード・スイッチ
３  再生モード・スイッチ
４  セットアップ・モード・スイッチ
５  テレ／ワイド設定スイッチ
６  シャッタ・レリーズ・ボタン
７  記録モード・スイッチ
８  セルフ・タイマ・スイッチ
９  駒送りスイッチ
11  タイマ
12  ズーム・レンズ
13  撮像素子
16  ＡＥ／ＡＦ回路
17  信号処理回路
19  メディア・コントローラ
20  メモリ・カード
23  ＬＣＤドライバ
24  ＬＣＤ
25  クロック・コントローラ
26  電源回路
【図１】
0004279479.tif 000002
【図２】
0004279479.tif 000003
【図３】
0004279479.tif 000004
【図４】
0004279479.tif 000005
【図５】
0004279479.tif 000006
【図６】
0004279479.tif 000007
【図７】
0004279479.tif 000008
【図８】
0004279479.tif 000009
【図９】
0004279479.tif 000010
【図１０】
0004279479.tif 000011